(57)【要約】足指を覆う爪先部１０の中間部に、足指の上下方向に沿った膨らみ部１１を、足の甲部１０ｂ及び／又は足裏部１０ａに設けたことにより、足指を爪先部１０に挿入する際に、膨らみ部１１によって無理なく足指に沿って爪先部１０を変形させ、装着時における足指の挿入を円滑なものとするとともに、装着後にあっては、前記膨らみ部１１により足指周りに余裕を設けて、過度の締め付け感を回避することを特徴とする靴下。
2004004496.tif 000002
【特許請求の範囲】
【請求項１】
足指を覆う爪先部を備えた靴下であって、前記爪先部の中間部に、足指の上下方向に沿った膨らみ部が設けられていることを特徴とする靴下。
【請求項２】
前記膨らみ部が親指側から小指側へ向かって漸次薄くなるように形成されていることを特徴とする請求の範囲第１項に記載の靴下。
【請求項３】
前記膨らみ部が、前記指の下半分を覆う部位に形成されていることを特徴とする請求の範囲第１項または請求の範囲第２項に記載の靴下。
【請求項４】
前記膨らみ部が、前記指の上半分を覆う部位に形成されていることを特徴とする請求の範囲第１項または請求の範囲第２項に記載の靴下。
【請求項５】
前記膨らみ部が、前記指の下半分を覆う部位および下半分を覆う部位に形成されていることを特徴とする請求の範囲第１項または請求の範囲第２項に記載の靴下。
【請求項６】
前記爪先部が、足指の親指が挿入される第１挿入部と、その他の足指が挿入される第２挿入部とに分割形成され、これらの第１挿入部と第２挿入部とのそれぞれに、前記膨らみ部が形成されていることを特徴とする請求の範囲第１項ないし請求の範囲第５項の何れかに記載の靴下。
【請求項７】
前記爪先部が、各足指が個々に挿入される５つの挿入部に分割形成され、これら５つの挿入部のそれぞれに、前記膨らみ部が形成されていることを特徴とする請求の範囲第１項ないし請求の範囲第５項の何れかに記載の靴下。
【発明の詳細な説明】
【技術分野】  本発明は、靴下に係わり、特に、装着時に締め付け感の少ない靴下に関するものである。
【背景技術】  一般に、第１０図に符号１で示す靴下は、足の挿入部２ａを備え、足の足首近傍から甲や土踏まずに至る筒編み部２と、この筒編み部２の先端部に先細り状に連続形成された、足指を覆う爪先部３とによって構成されており、特に、前記爪先部３は、第１１図に示すように、足指の下半分を覆う足裏部３ａと、足指の上半分を覆う甲部３ｂとによって構成され、これらの足裏部３ａと甲部３ｂとは、略平面状に編み上げられて一体化されることによって、先端が閉塞された扁平な筒状に形成されている。
ところで、このような従来の靴下１にあっては、足を挿入部２ａから挿入して足指を爪先部３に挿入する際に、この爪先部３の足裏部３ａと甲部３ｂとを、足指によって筒状に変形させつつ挿入する必要がある。
このために、装着者は、特に先細となる爪先部３において、足指にきつい装着感を感じ、また、装着後においては足指に強い締め付け感を感じることとなる。
本発明は、このような問題点に鑑みてなされたものであって、特に先細となる爪先部の装着感を緩やかにし、また、装着後における締め付け感が軽減された靴下を提供することを目的とする。
【発明の開示】
本発明の靴下は、足指を覆う爪先部を備えた靴下であって、前記爪先部の中間部に、足指の上下方向に沿った膨らみ部が設けられていることを特徴とするものである。
このような構成とすることにより、足指を爪先部に挿入する際に、この爪先部が、膨らみ部によって無理なく足指に沿って変形する。
この結果、装着時における足指の挿入を円滑なものとするとともに、装着後にあっては、前記膨らみ部により足指周りに余裕ができ、過度の締め付け感が回避される。
ここで、前記膨らみ部を、足指の親指側から小指側へ向けて漸次薄くなるように形成することが好ましい。
本発明の靴下は、前記膨らみ部が、前記指の下半分あるいは上半分を覆う部位に形成されていることを特徴とするものである。
このような構成とすることにより、装着後の爪先部の形状を足指の形状に近づけることができ、装着感や締め付け感をより改善することができる。
そして、前記膨らみ部は、前記指の下半分を覆う部位および下半分を覆う部位に形成することも可能であり、これによって、より一層、装着感や締め付け感を改善することができる。
また、本発明の靴下は、前記爪先部が、足指の親指が挿入される第１挿入部と、その他の足指が挿入される第２挿入部とに分割形成され、これらの第１挿入部と第２挿入部とのそれぞれに、前記膨らみ部が形成されていることを特徴とするものである。
このような構成とすることにより、前述した装着感や締め付け感の改善作用を維持しつつ、爪先部を親指と他の足指との間に位置させて、爪先部と足指との位置ずれを抑制して、その装着感を高めることができる。
さらに、本発明の靴下は、前記爪先部が、各足指が個々に挿入される５つの挿入部に分割形成され、これらの５つの挿入部のそれぞれに、前記膨らみ部が形成されていることを特徴とするものである。
このような構成とすることにより、前述した装着感や締め付け感の改善作用を維持しつつ、爪先部と足指との位置ずれ抑制作用をさらに高めて、その装着感を一層高めることができる。
【図面の簡単な説明】  第１図は、本発明の第１の実施形態の爪先部を示す縦断面図である。
第２図は、本発明の第１の実施形態の爪先部の側面図である。
第３図は、本発明の第１の実施形態の爪先部を示すもので、装着時の変形状態を示す側面図である。
第４図は、本発明の変形例を示す爪先部の縦断面図である。
第５図は、本発明の他の変形例を示す爪先部の縦断面図である。
第６図は、本発明の他の変形例を示す爪先部の縦断面図である。
第７図は、本発明の他の変形例を示す外観斜視図である。
第８図は、第７図の爪先部の縦断面図である。
第９図は、本発明の他の変形例を示す外観斜視図である。
第１０図は、一般的な靴下の外観斜視図である。
第１１図は、第１０図のＩ−Ｉ線に沿った矢視断面図である。
【発明を実施するための最良の形態】  本発明をより詳細に説明するために、添付図面を参照してこれを説明する。
第１の実施形態
第１図ないし第３図は、本発明の第１の実施形態に係わる靴下の爪先部１０を示すもので、第１図は爪先部１０の縦断面図、第２図は爪先部１０の側面図、第３図は装着した際の側面図であり、その他の部位については第１０図と共通することから、この共通部分については、第１０図と、この第１０図に付した符号を用いて説明する。
本実施形態においては、筒編み部２の先端部に連続形成される爪先部１０の中間部に膨らみ部１１を形成したことを特徴とするものである。
前記爪先部１０は、足指の下部を覆う足裏部１０ａと、足指の上部を覆う甲部１０ｂとによって全体的に扁平な筒状体に編組されている。
そして、前記膨らみ部１１は、本実施形態においては、前記足裏部１０ａの、足指の長さ方向中間部に形成されており、この足裏部１０ａを編み込む際に、編み込み位置を一定に保持した状態で、編み込み針を、漸次減少させた後に漸次増加させることによって形成される。
また、前記膨らみ部１１は、下方へ向けて突出する略円弧状となるように形成されている。
このように構成された本実施形態に係わる靴下にあっては、靴下の装着時に、爪先部１０に足指が挿入された際に、爪先部１０が足指によって前後方向および上下方向に延ばされるように変形する。
そして、前記足裏部１０ａには、膨らみ部１１が形成されていることにより、第３図に示すように、挿入される足指に合わせて足裏部１０ａが変形する。
したがって、爪先部１０へ足指を挿入する際に、その挿入抵抗が軽減されて、良好な装着感が得られるとともに、装着後においては、膨らみ部１１における延び量が少ないことから、足指に与える締め付け力が軽減され、この結果、締め付け感が軽減されて、快適な装着感が得られる。
一方、前記膨らみ部１１を略円弧状となるように形成した例について示したが、これに代えて、第４図（ａ）に示すように台形状の膨らみ部１２とすることも可能である。
また、第４図（ｂ）に示すように、膨らみ部１１を、親指側から小指側へ向かって漸次薄くなるように形成することも可能であり、このような構成とすることにより、足指の形状に合わせた膨らみ部として、装着感や締め付け感が一層改善される。
また、これらの膨らみ部１１・１２は、足裏部１０ａだけでなく、第５図や第６図に示すように、甲部１０ｂに形成することも可能であり、さらに、この甲部１０ｂのみに形成することも可能である。
さらに、第７図に符号１３で示す爪先部のように、この爪先部１３を、足指の親指が挿入される第１挿入部１４と、その他の足指が挿入される第２挿入部１５とに分割形成し、これらの第１挿入部１４および第２挿入部１５のそれぞれに、第８図に示すように、膨らみ部１１を形成することも可能である。
このように、爪先部１３を第１挿入部１４と第２挿入部１５とに分割形成することにより、爪先部１３が、親指と人差し指との間に挟まれることによって、爪先部１３と足指とのずれが抑制されて装着感が高められる。
また、第９図に符号１６で示す爪先部のように、この爪先部１６を、足指の各指に対応して、第１ないし第５の挿入部１７〜２１とに分割形成し、図示しないが、これらの各挿入部１７〜２１のそれぞれに、膨らみ部を形成することも可能である。
このような構成とすることにより、前述したような装着感を維持しつつ、足指の各指を独立して覆って蒸れ等をなくし、装着時の爽快感を高めることができる。
そして、足指の各指に対応した挿入部１７〜２１を形成した場合、各指に対する挿入抵抗が高められることとなるが、本発明においては、各挿入部１７〜２１に対して膨らみ部を形成してあることから、前述した挿入抵抗が軽減されて、円滑な装着が可能となる。
さらに、前述した挿入部は、人差し指から薬指までを包み込むといった、任意の指をまとめるような挿入部とすることも可能である。
また、前述した筒編み部２は、ふくらはぎまでを覆う形状や、くるぶしまでを覆う形状、あるいは、くるぶしの下部までを覆う形状等、種々変更することができる。
【産業上の利用可能性】  以上のように、本発明によれば、足指を覆う爪先部の中間部に、足指の上下方向に沿った膨らみ部を設けたことにより、足指を爪先部に挿入する際に、この爪先部を、膨らみ部によって無理なく足指に沿って変形させ、この結果、装着時における足指の挿入を円滑なものとするとともに、装着後にあっては、前記膨らみ部により足指周りに余裕を設けて、過度の締め付け感を回避することができる。
【符号の説明】
１  靴下
２  筒編み部
２ａ  挿入部
３  爪先部
３ａ  足裏部
３ｂ  甲部
１０  爪先部
１０ａ  足裏部
１０ｂ  甲部
１１  膨らみ部
１２  膨らみ部
１３  爪先部
１４  第１挿入部
１５  第２挿入部
１６  爪先部
１７  第１の挿入部
１８  第２の挿入部
１９  第３の挿入部
２０  第４の挿入部
２１  第５の挿入部
【図１】
2004004496.tif 000003
【図２】
2004004496.tif 000004
【図３】
2004004496.tif 000005
【図４】
2004004496.tif 000006
【図５】
2004004496.tif 000007
【図６】
2004004496.tif 000008
【図７】
2004004496.tif 000009
【図８】
2004004496.tif 000010
【図９】
2004004496.tif 000011
【図１０】
2004004496.tif 000012
【図１１】
2004004496.tif 000013
【手続補正書】
【提出日】平成14年12月27日(2002.12.27)
【手続補正００１】
【補正対象書類名】特許請求の範囲
【補正対象項目名】全文
【補正方法】変更
【補正の内容】
【特許請求の範囲】
【請求項１】足指を覆う爪先部を備えた靴下であって、前記爪先部の足指の長さ方向における中間部に膨らみ部が形成され、該膨らみ部は、前記指の下半分を覆う部位に形成されていることを特徴とする靴下。
【請求項２】前記膨らみ部が親指側から小指側へ向かって漸次薄くなるように形成されていることを特徴とする請求の範囲第１項に記載の靴下。
【請求項３】前記膨らみ部は、下方へ向けて突出する略円弧状となるように形成されていることを特徴とする請求の範囲第１項に記載の靴下。
【請求項４】（削除）
【請求項５】（削除）
【請求項６】前記爪先部が、足指の親指が挿入される第１挿入部と、その他の足指が挿入される第２挿入部とに分割形成され、これらの第１挿入部と第２挿入部とのそれぞれに、前記膨らみ部が形成されていることを特徴とする請求の範囲第１項ないし請求の範囲第５項の何れかに記載の靴下。
【請求項７】前記爪先部が、各足指が個々に挿入される５つの挿入部に分割形成され、これら５つの挿入部のそれぞれに、前記膨らみ部が形成されていることを特徴とする請求の範囲第１項ないし請求の範囲第５項の何れかに記載の靴下。




【国際調査報告】
2004004496.tif 000014
2004004496.tif 000015
2004004496.tif 000016
2004004496.tif 000017